(57)【特許請求の範囲】
【請求項１】
収納棚を含み、前記収納棚の中には収納空間が設けられ、前記収納空間の中には金庫本体が設けられ、前記金庫本体は固定板に固定され、前記固定板の下面にはローラが固定され、前記金庫本体の下方には左右摺動可能な金庫摺動蓋が設けられ、前記金庫本体と前記金庫摺動蓋との間には蓋摺動溝が形成され、前記蓋摺動溝により前記金庫摺動蓋が左右に摺動でき、前記金庫摺動蓋の中には前記金庫本体を開けられる金庫ダイヤル錠が設けられ、前記金庫ダイヤル錠は操作用のダイヤルを含み、前記ダイヤルの上面には回動可能なダイヤル錠回動軸が固定され、前記ダイヤル錠回動軸の外面には前記ダイヤルの上方に位置する位置制限円盤が三つ上下方向に配列され、下から上に一番目の前記位置制限円盤は前記ダイヤル錠回動軸の外面に固定され、対して他の前記位置制限円盤は前記ダイヤル錠回動軸の外面に密着しており、各前記位置制限円盤の上下側には前記位置制限円盤の落下を阻止できる固定ブロックが設けられ、前記固定ブロックは前記ダイヤル錠回動軸の外面に固定され、前記金庫ダイヤル錠の右側には蓋ロック機構が設けられ、前記金庫ダイヤル錠と前記蓋ロック機構との協働により前記金庫本体を開閉でき、前記蓋ロック機構は前記金庫本体と前記金庫摺動蓋とをロックできる蓋固定ピンを含み、前記蓋固定ピンは前記金庫摺動蓋の中に設けられた固定ピン空間に延在しており、前記固定ピン空間の中にはラックが設けられ、前記ラックにより前記金庫本体と前記金庫摺動蓋とのロック状態を解除でき、前記ラックの右側には第三ばねが固定され、前記第三ばねは前記金庫本体と前記金庫摺動蓋との離脱を補助でき、前記蓋ロック機構の右側には金庫収納ロック機構が設けられ、前記金庫収納ロック機構は前記金庫本体を前記収納空間に隠すことができ、前記金庫収納ロック機構の下方にはキー錠が固定され、前記キー錠は前記金庫本体のロック状態を解除でき、前記キー錠は抽斗のロック状態を制御でき、
前記収納空間の下方には左右摺動可能な前記抽斗が設けられ、前記抽斗の右面には抽斗取手が設けられ、前記抽斗取手により簡単に前記抽斗を引き出すことができ、前記抽斗の中には物を収容できる収容空間が設けられ、前記抽斗の下方には抽斗摺動溝が形成され、前記抽斗摺動溝により前記抽斗は左右に摺動でき、前記抽斗摺動溝の中には前記抽斗の底面と密着している抽斗ローラが対称になるように設けられ、前記抽斗ローラにより前記抽斗はスムーズに摺動でき、前記抽斗ローラには妨害板が対称になるように設けられていることを特徴とする隠せる抽斗型金庫。
【請求項２】
前記金庫摺動蓋の右側には右方に開口する錠空間が設けられ、前記錠空間に前記キー錠を取り付けられ、前記錠空間の中には前記キー錠が固定され、前記キー錠は錠外殻を含み、前記錠外殻の中にはキャビティが左右方向に配列され、各前記キャビティの上内壁にはいずれも錠内ばねが固定され、前記錠内ばねは下端にメイン位置制限円形棒が固定され、前記メイン位置制限円形棒の下方には回動ブロックが設けられ、前記錠外殻の中には回動可能なサブ位置制限円形棒が設けられ、前記メイン位置制限円形棒と前記回動ブロックとは前記サブ位置制限円形棒を貫通しており、前記サブ位置制限円形棒の下方にはキーを通過させるキー摺動溝が形成され、前記キー摺動溝は右側が外部と連通しており、各前記メイン位置制限円形棒と対応する前記回動ブロックとの全長は同じであり、各前記メイン位置制限円形棒の長さは同じでなく、
キーを前記キー摺動溝に差し込んだら、前記メイン位置制限円形棒と前記回動ブロックとは上昇して前記錠内ばねを圧縮し、正しいキーであれば、各前記メイン位置制限円形棒と対応する前記回動ブロックとの密着面は面一となり、前記サブ位置制限円形棒と前記錠外殻との密着面も面一となり、ここでキーを回すことで、前記サブ位置制限円形棒を回転させられることを特徴とする請求項１に記載の隠せる抽斗型金庫。
【請求項３】
前記サブ位置制限円形棒の右面には施錠具回動軸が固定され、前記施錠具回動軸の外面には前記施錠具回動軸を復位させられる第一捻りばねが設けられ、前記施錠具回動軸の左面には旋転ブロックが固定され、前記旋転ブロックの左面には第一連結棒と第二連結棒とが設けられ、前記旋転ブロックには長穴が対称になるように形成され、前記第一連結棒と前記第二連結棒とはそれぞれ対応する前記長穴を貫通し、且つ第一旋転棒及び第二旋転棒と伝動でき、前記抽斗の上面には抽斗位置制限溝が形成され、
前記第一連結棒は下方へ前記抽斗位置制限溝に伸びることで、前記収納棚と前記抽斗とをロックにし、前記サブ位置制限円形棒が時計回り方向へ回転すると、前記施錠具回動軸は連動して時計回り方向へ回転し、前記第一連結棒をつれて上昇させることで、前記第一連結棒を前記抽斗位置制限溝から離脱させ、ここで前記収納棚と前記抽斗とのロック状態は解除されることを特徴とする請求項２に記載の隠せる抽斗型金庫。
【請求項４】
前記第二連結棒の上部左面には連結台が固定され、前記連結台の中には第三旋転棒が回動可能に設けられ、前記第三旋転棒の外面には揺動ブロックが設けられ、前記揺動ブロックの中には第四旋転棒が設けられ、前記第四旋転棒の下側には回動可能な第五旋転棒が設けられ、前記第五旋転棒の外面には揺動歯車が固定され、前記第五旋転棒の右側にはカムが固定され、前記カムの上方には上下摺動可能な支持棒が設けられ、前記支持棒の上端には第一ばねが設けられ、前記第一ばねの中には円形棒が回動可能に設けられ、前記円形棒の外面には揺動棒が固定され、前記揺動棒の中には第六旋転棒が設けられ、前記揺動棒の右側には圧迫ブロックが固定され、前記圧迫ブロックの右側には上下摺動可能な固定ピンが設けられ、前記圧迫ブロックの底面は前記固定ピンと密着しており、前記固定ピンの底面には第二ばねが固定され、前記固定ピンの上方には金庫固定ピンが設けられ、前記金庫固定ピンは前記固定板の右面に固定され、前記金庫固定ピンの中には金庫位置制限溝が形成され、前記固定ピンは前記金庫位置制限溝に伸びることで、前記固定板をロックできることを特徴とする請求項３に記載の隠せる抽斗型金庫。
【請求項５】
前記金庫ダイヤル錠はさらに前記位置制限円盤の外面に設けられた位置制限ブロックと、前記位置制限円盤の縁部に形成された位置制限裂目とを含み、各前記位置制限円盤における前記位置制限ブロックと前記位置制限裂目との位置は異なり、
前記位置制限円盤が回転すると、対応する前記位置制限ブロックは回転して次の前記位置制限円盤にある前記位置制限ブロックをつれて回転させ、同じくさらに次の前記位置制限円盤にある前記位置制限ブロックをつれて回転させ、特定の回転により、三つの前記位置制限円盤にある前期位置制限裂目を面一にすることができ、
前記位置制限円盤の上方には位置制限ローラが設けられ、前記位置制限ローラは前記ダイヤル錠回動軸の外面に固定され、前記位置制限ローラの縁部にはローラ裂目が形成され、前記位置制限ローラの左側には位置制限板が固定され、前記位置制限板の上側には前記位置制限板を左右に摺動させられる位置制限摺動溝が形成され、前記位置制限板の左側には位置制限ばねが固定され、前記位置制限ばねはさらに金庫ダイヤル錠外殻の内壁に固定され、前記金庫ダイヤル錠外殻の外面には第四傘歯車が固定され、
三つの前記位置制限裂目が面一となり且つ前記位置制限板と前記ローラ裂目とが対応すると、前記位置制限板は前記ローラ裂目と前記位置制限裂目とに插入され、ここで前記位置制限板が時計回り方向へ回転すると、前記金庫ダイヤル錠外殻は連動して回転することで、前記第四傘歯車をつれて回転させ、
前記金庫ダイヤル錠外殻の上方には前記ダイヤル錠回動軸の外面に固定された第二捻りばねが設けられ、
前記ダイヤルを放すと、前記第二捻りばねは前記ダイヤル錠回動軸を逆回転させることで、下から上に一番目の前記位置制限円盤を反時計回りに回転させ、続いて前記位置制限裂目の形態により、前記位置制限板は前記ローラ裂目と前記位置制限裂目から離脱し、改めて前記ダイヤルを操作することでしか、前記金庫ダイヤル錠外殻を回転させられないため、自動ロックを可能にすることを特徴とする請求項１に記載の隠せる抽斗型金庫。
【請求項６】
前記蓋ロック機構は第三傘歯車を含み、前記第三傘歯車は前記第四傘歯車と噛み合っており、前記第三傘歯車の右面には回動可能な第一旋転軸が固定され、前記第一旋転軸の右面には第二傘歯車が固定され、前記第二傘歯車の後側には前記第二傘歯車と噛み合った第一傘歯車が設けられ、前記第一傘歯車の前側には回動可能な第二プーリが設けられ、前記第二プーリの右側には第一プーリが設けられ、前記第二プーリよ前記第一プーリとはベルトによって伝動可能に連結され、前記第一プーリの後側には第一歯車が設けられ、前記第一歯車の右側には第一歯車と噛み合っている且つ上下摺動可能な前記ラックが設けられ、前記第四傘歯車が回転すると、前記第三傘歯車は連動して回転し、前記第一旋転軸をつれて回転させることで、前記第二傘歯車を回転させ、続いて前記第一傘歯車は連動して回転し、前記第二プーリをつれて回転させることで、前記第一プーリを回転させ、前記第一歯車を回転させ、続いて前記ラックは連動して上昇し、前記蓋固定ピンを前記固定ピン空間から押し出すことで、前記金庫本体と前記金庫摺動蓋とのロック状態を解除することを特徴とする請求項５に記載の隠せる抽斗型金庫。
【発明の詳細な説明】
【技術分野】
【０００１】
本願発明は施錠具分野を取り上げ、特に隠せる抽斗型金庫に関わる。
【背景技術】
【０００２】
経済の発展につれ、人々は収入が上がり、裕福な生活を送ってきた。一部の家庭では、現金やジュエリーなどの貴重品、又は契約書などの重要書類を自家の金庫に入れる。しかし、金庫自体は目立つため、入室窃盗に遭うと、窃盗犯にとって金庫自体が貴重品の目印となってしまう。よって、隠せる抽斗型金庫を設計して上記問題を解決することを試みた。
【先行技術文献】
【特許文献】
【０００３】
【特許文献１】中国特許出願公開第１０５２９８２９９号明細書
【発明の概要】
【発明が解決しようとする課題】
【０００４】
隠せる抽斗型金庫を提供し、上記問題を解決することを目的とする。
【課題を解決するための手段】
【０００５】
本願に記載の隠せる抽斗型金庫は、収納棚を含み、前記収納棚の中には収納空間が設けられ、前記収納空間の中には金庫本体が設けられ、前記金庫本体は固定板に固定され、前記固定板の下面にはローラが固定され、前記金庫本体の下方には左右摺動可能な金庫摺動蓋が設けられ、前記金庫本体と前記金庫摺動蓋との間には蓋摺動溝が形成され、前記蓋摺動溝により前記金庫摺動蓋が左右に摺動でき、前記金庫摺動蓋の中には前記金庫本体を開けられる金庫ダイヤル錠が設けられ、前記金庫ダイヤル錠は操作用のダイヤルを含み、前記ダイヤルの上面には回動可能なダイヤル錠回動軸が固定され、前記ダイヤル錠回動軸の外面には前記ダイヤルの上方に位置する位置制限円盤が三つ上下方向に配列され、下から上に一番目の前記位置制限円盤は前記ダイヤル錠回動軸の外面に固定され、対して他の前記位置制限円盤は前記ダイヤル錠回動軸の外面に密着しており、各前記位置制限円盤の上下側には前記位置制限円盤の落下を阻止できる固定ブロックが設けられ、前記固定ブロックは前記ダイヤル錠回動軸の外面に固定され、前記金庫ダイヤル錠の右側には蓋ロック機構が設けられ、前記金庫ダイヤル錠と前記蓋ロック機構との協働により前記金庫本体を開閉でき、前記蓋ロック機構は前記金庫本体と前記金庫摺動蓋とをロックできる蓋固定ピンを含み、前記蓋固定ピンは前記金庫摺動蓋の中に設けられた固定ピン空間に延在しており、前記固定ピン空間の中にはラックが設けられ、前記ラックにより前記金庫本体と前記金庫摺動蓋とのロック状態を解除でき、前記ラックの右側には第三ばねが固定され、前記第三ばねは前記金庫本体と前記金庫摺動蓋との離脱を補助でき、前記蓋ロック機構の右側には金庫収納ロック機構が設けられ、前記金庫収納ロック機構は前記金庫本体を前記収納空間に隠すことができ、前記金庫収納ロック機構の下方にはキー錠が固定され、前記キー錠は前記金庫本体のロック状態を解除でき、前記キー錠は抽斗のロック状態を制御でき、
前記収納空間の下方には左右摺動可能な前記抽斗が設けられ、前記抽斗の右面には抽斗取手が設けられ、前記抽斗取手により簡単に前記抽斗を引き出すことができ、前記抽斗の中には物を収容できる収容空間が設けられ、前記抽斗の下方には抽斗摺動溝が形成され、前記抽斗摺動溝により前記抽斗は左右に摺動でき、前記抽斗摺動溝の中には前記抽斗の底面と密着している抽斗ローラが対称になるように設けられ、前記抽斗ローラにより前記抽斗はスムーズに摺動でき、前記抽斗ローラには妨害板が対称になるように設けられている。
【０００６】
有利なことに、前記金庫摺動蓋の右側には右方に開口する錠空間が設けられ、前記錠空間に前記キー錠を取り付けられ、前記錠空間の中には前記キー錠が固定され、前記キー錠は錠外殻を含み、前記錠外殻の中にはキャビティが左右方向に配列され、各前記キャビティの上内壁にはいずれも錠内ばねが固定され、前記錠内ばねは下端にメイン位置制限円形棒が固定され、前記メイン位置制限円形棒の下方には回動ブロックが設けられ、前記錠外殻の中には回動可能なサブ位置制限円形棒が設けられ、前記メイン位置制限円形棒と前記回動ブロックとは前記サブ位置制限円形棒を貫通しており、前記サブ位置制限円形棒の下方にはキーを通過させるキー摺動溝が形成され、前記キー摺動溝は右側が外部と連通しており、各前記メイン位置制限円形棒と対応する前記回動ブロックとの全長は同じであり、各前記メイン位置制限円形棒の長さは同じでなく、
キーを前記キー摺動溝に差し込んだら、前記メイン位置制限円形棒と前記回動ブロックとは上昇して前記錠内ばねを圧縮し、正しいキーであれば、各前記メイン位置制限円形棒と対応する前記回動ブロックとの密着面は面一となり、前記サブ位置制限円形棒と前記錠外殻との密着面も面一となり、ここでキーを回すことで、前記サブ位置制限円形棒を回転させられる。
【０００７】
有利なことに、前記サブ位置制限円形棒の右面には施錠具回動軸が固定され、前記施錠具回動軸の外面には前記施錠具回動軸を復位させられる第一捻りばねが設けられ、前記施錠具回動軸の左面には旋転ブロックが固定され、前記旋転ブロックの左面には第一連結棒と第二連結棒とが設けられ、前記旋転ブロックには長穴が対称になるように形成され、前記第一連結棒と前記第二連結棒とはそれぞれ対応する前記長穴を貫通し、且つ第一旋転棒及び第二旋転棒と伝動でき、前記抽斗の上面には抽斗位置制限溝が形成され、
前記第一連結棒は下方へ前記抽斗位置制限溝に伸びることで、前記収納棚と前記抽斗とをロックにし、前記サブ位置制限円形棒が時計回り方向へ回転すると、前記施錠具回動軸は連動して時計回り方向へ回転し、前記第一連結棒をつれて上昇させることで、前記第一連結棒を前記抽斗位置制限溝から離脱させ、ここで前記収納棚と前記抽斗とのロック状態は解除される。
【０００８】
有利なことに、前記第二連結棒の上部左面には連結台が固定され、前記連結台の中には第三旋転棒が回動可能に設けられ、前記第三旋転棒の外面には揺動ブロックが設けられ、前記揺動ブロックの中には第四旋転棒が設けられ、前記第四旋転棒の下側には回動可能な第五旋転棒が設けられ、前記第五旋転棒の外面には揺動歯車が固定され、前記第五旋転棒の右側にはカムが固定され、前記カムの上方には上下摺動可能な支持棒が設けられ、前記支持棒の上端には第一ばねが設けられ、前記第一ばねの中には円形棒が回動可能に設けられ、前記円形棒の外面には揺動棒が固定され、前記揺動棒の中には第六旋転棒が設けられ、前記揺動棒の右側には圧迫ブロックが固定され、前記圧迫ブロックの右側には上下摺動可能な固定ピンが設けられ、前記圧迫ブロックの底面は前記固定ピンと密着しており、前記固定ピンの底面には第二ばねが固定され、前記固定ピンの上方には金庫固定ピンが設けられ、前記金庫固定ピンは前記固定板の右面に固定され、前記金庫固定ピンの中には金庫位置制限溝が形成され、前記固定ピンは前記金庫位置制限溝に伸びることで、前記固定板をロックできる。
【０００９】
有利なことに、前記金庫ダイヤル錠はさらに前記位置制限円盤の外面に設けられた位置制限ブロックと、前記位置制限円盤の縁部に形成された位置制限裂目とを含み、各前記位置制限円盤における前記位置制限ブロックと前記位置制限裂目との位置は異なり、
前記位置制限円盤が回転すると、対応する前記位置制限ブロックは回転して次の前記位置制限円盤にある前記位置制限ブロックをつれて回転させ、同じくさらに次の前記位置制限円盤にある前記位置制限ブロックをつれて回転させ、特定の回転により、三つの前記位置制限円盤にある前期位置制限裂目を面一にすることができ、
前記位置制限円盤の上方には位置制限ローラが設けられ、前記位置制限ローラは前記ダイヤル錠回動軸の外面に固定され、前記位置制限ローラの縁部にはローラ裂目が形成され、前記位置制限ローラの左側には位置制限板が固定され、前記位置制限板の上側には前記位置制限板を左右に摺動させられる位置制限摺動溝が形成され、前記位置制限板の左側には位置制限ばねが固定され、前記位置制限ばねはさらに金庫ダイヤル錠外殻の内壁に固定され、前記金庫ダイヤル錠外殻の外面には第四傘歯車が固定され、
三つの前記位置制限裂目が面一となり且つ前記位置制限板と前記ローラ裂目とが対応すると、前記位置制限板は前記ローラ裂目と前記位置制限裂目とに插入され、ここで前記位置制限板が時計回り方向へ回転すると、前記金庫ダイヤル錠外殻は連動して回転することで、前記第四傘歯車をつれて回転させ、
前記金庫ダイヤル錠外殻の上方には前記ダイヤル錠回動軸の外面に固定された第二捻りばねが設けられ、
前記ダイヤルを放すと、前記第二捻りばねは前記ダイヤル錠回動軸を逆回転させることで、下から上に一番目の前記位置制限円盤を反時計回りに回転させ、続いて前記位置制限裂目の形態により、前記位置制限板は前記ローラ裂目と前記位置制限裂目から離脱し、改めて前記ダイヤルを操作することでしか、前記金庫ダイヤル錠外殻を回転させられないため、自動ロックを可能にする。
【００１０】
有利なことに、前記蓋ロック機構は第三傘歯車を含み、前記第三傘歯車は前記第四傘歯車と噛み合っており、前記第三傘歯車の右面には回動可能な第一旋転軸が固定され、前記第一旋転軸の右面には第二傘歯車が固定され、前記第二傘歯車の後側には前記第二傘歯車と噛み合った第一傘歯車が設けられ、前記第一傘歯車の前側には回動可能な第二プーリが設けられ、前記第二プーリの右側には第一プーリが設けられ、前記第二プーリよ前記第一プーリとはベルトによって伝動可能に連結され、前記第一プーリの後側には第一歯車が設けられ、前記第一歯車の右側には第一歯車と噛み合っている且つ上下摺動可能な前記ラックが設けられ、
前記第四傘歯車が回転すると、前記第三傘歯車は連動して回転し、前記第一旋転軸をつれて回転させることで、前記第二傘歯車を回転させ、続いて前記第一傘歯車は連動して回転し、前記第二プーリをつれて回転させることで、前記第一プーリを回転させ、前記第一歯車を回転させ、続いて前記ラックは連動して上昇し、前記蓋固定ピンを前記固定ピン空間から押し出すことで、前記金庫本体と前記金庫摺動蓋とのロック状態を解除する。
【発明の効果】
【００１１】
本発明は以下のプラス効果を有する：本願発明は、金庫をうまく隠すことができ、キー錠と金庫ダイヤル錠という二種類の施錠具を設け、キー錠は抽斗を開けられ、同時に金庫本体を現せられ、金庫自体に設けた金庫ダイヤル錠は、特定の回転手法によって三回回すことでしか解錠できなく、本願発明に記載の各施錠機能は独自の復位形態を有し、便利である。
【図面の簡単な説明】
【００１２】
下記に図１〜７を合わせて本発明について詳しく説明を行い、便利に説明するために、本願に記載の各方向を以下のように規定する：図１は本願発明の正面図であり、本願に記載の各方向は、図１における観察方向に基づくものである。
【００１３】
【図１】図１は本願発明の全体構成略図
【図２】図２は図１におけるＡ部の拡大構成略図
【図３】図３は図１におけるＢ部の拡大構成略図
【図４】図４は図１におけるＣ部の拡大構成略図
【図５】図５は図１におけるＤ部の拡大構成略図
【図６】図６は図３におけるＥ―Ｅの構成略図
【図７】図７は図１におけるＦ―Ｆの構成略図
【発明を実施するための形態】
【００１４】
図１〜７を参照し、本願に記載の隠せる抽斗型金庫は、収納棚１０を含み、前記収納棚１０の中には収納空間１２が設けられ、前記収納空間１２の中には金庫本体１５が設けられ、前記金庫本体１５は固定板１４に固定され、前記固定板１４の下面にはローラ１３が固定され、前記金庫本体１５の下方には左右摺動可能な金庫摺動蓋１６が設けられ、前記金庫本体１５と前記金庫摺動蓋１６との間には蓋摺動溝４８が形成され、前記蓋摺動溝４８により前記金庫摺動蓋１６が左右に摺動でき、前記金庫摺動蓋１６の中には前記金庫本体１５を開けられる金庫ダイヤル錠２００が設けられ、前記金庫ダイヤル錠２００は操作用のダイヤル６６を含み、前記ダイヤル６６の上面には回動可能なダイヤル錠回動軸６７が固定され、前記ダイヤル錠回動軸６７の外面には前記ダイヤル６６の上方に位置する位置制限円盤６８が三つ上下方向に配列され、下から上に一番目の前記位置制限円盤６８は前記ダイヤル錠回動軸６７の外面に固定され、対して他の前記位置制限円盤６８は前記ダイヤル錠回動軸６７の外面に密着しており、各前記位置制限円盤６８の上下側には前記位置制限円盤６８の落下を阻止できる固定ブロック８１が設けられ、前記固定ブロック８１は前記ダイヤル錠回動軸６７の外面に固定され、前記金庫ダイヤル錠２００の右側には蓋ロック機構５００が設けられ、前記金庫ダイヤル錠２００と前記蓋ロック機構５００との協働により前記金庫本体１５を開閉でき、前記蓋ロック機構５００は前記金庫本体１５と前記金庫摺動蓋１６とをロックできる蓋固定ピン５２を含み、前記蓋固定ピン５２は前記金庫摺動蓋１６の中に設けられた固定ピン空間５３に延在しており、前記固定ピン空間５３の中にはラック５４が設けられ、前記ラック５４により前記金庫本体１５と前記金庫摺動蓋１６とのロック状態を解除でき、前記ラック５４の右側には第三ばねが固定され、前記第三ばねは前記金庫本体１５と前記金庫摺動蓋１６との離脱を補助でき、前記蓋ロック機構５００の右側には金庫収納ロック機構４００が設けられ、前記金庫収納ロック機構４００は前記金庫本体１５を前記収納空間１２に隠すことができ、前記金庫収納ロック機構４００の下方にはキー錠３００が固定され、前記キー錠３００は前記金庫本体１５のロック状態を解除でき、前記キー錠３００は抽斗１１のロック状態を制御でき、
前記収納空間１２の下方には左右摺動可能な前記抽斗１１が設けられ、前記抽斗１１の右面には抽斗取手１７が設けられ、前記抽斗取手１７により簡単に前記抽斗１１を引き出すことができ、前記抽斗１１の中には物を収容できる収容空間が設けられ、前記抽斗１１の下方には抽斗摺動溝７７が形成され、前記抽斗摺動溝７７により前記抽斗１１は左右に摺動でき、前記抽斗摺動溝７７の中には前記抽斗１１の底面と密着している抽斗ローラ７８が対称になるように設けられ、前記抽斗ローラ７８により前記抽斗１１はスムーズに摺動でき、前記抽斗ローラ７８には妨害板７９が対称になるように設けられている。
【００１５】
有利なことに、前記金庫摺動蓋１６の右側には右方に開口する錠空間８２が設けられ、前記錠空間８２に前記キー錠３００を取り付けられ、前記錠空間８２の中には前記キー錠３００が固定され、前記キー錠３００は錠外殻１８を含み、前記錠外殻１８の中にはキャビティ１９が左右方向に配列され、各前記キャビティ１９の上内壁にはいずれも錠内ばね２０が固定され、前記錠内ばね２０は下端にメイン位置制限円形棒２１が固定され、前記メイン位置制限円形棒２１の下方には回動ブロック２２が設けられ、前記錠外殻１８の中には回動可能なサブ位置制限円形棒２３が設けられ、前記メイン位置制限円形棒２１と前記回動ブロック２２とは前記サブ位置制限円形棒２３を貫通しており、前記サブ位置制限円形棒２３の下方にはキーを通過させるキー摺動溝２４が形成され、前記キー摺動溝２４は右側が外部と連通しており、各前記メイン位置制限円形棒２１と対応する前記回動ブロック２２との全長は同じであり、各前記メイン位置制限円形棒２１の長さは同じでなく、キーを前記キー摺動溝２４に差し込んだら、前記メイン位置制限円形棒２１と前記回動ブロック２２とは上昇して前記錠内ばね２０を圧縮し、正しいキーであれば、各前記メイン位置制限円形棒２１と対応する前記回動ブロック２２との密着面は面一となり、前記サブ位置制限円形棒２３と前記錠外殻１８との密着面も面一となり、ここでキーを回すことで、前記サブ位置制限円形棒２３を回転させられる。
【００１６】
有利なことに、前記サブ位置制限円形棒２３の右面には施錠具回動軸２５が固定され、前記施錠具回動軸２５の外面には前記施錠具回動軸２５を復位させられる第一捻りばね２６が設けられ、前記施錠具回動軸２５の左面には旋転ブロック２７が固定され、前記旋転ブロック２７の左面には第一連結棒２８と第二連結棒２９とが設けられ、前記旋転ブロック２７には長穴が対称になるように形成され、前記第一連結棒２８と前記第二連結棒２９とはそれぞれ対応する前記長穴を貫通し、且つ第一旋転棒３０及び第二旋転棒３１と伝動でき、前記抽斗１１の上面には抽斗位置制限溝８３が形成され、
前記第一連結棒２８は下方へ前記抽斗位置制限溝８３に伸びることで、前記収納棚１０と前記抽斗１１とをロックにし、前記サブ位置制限円形棒２３が時計回り方向へ回転すると、前記施錠具回動軸２５は連動して時計回り方向へ回転し、前記第一連結棒２８をつれて上昇させることで、前記第一連結棒２８を前記抽斗位置制限溝８３から離脱させ、ここで前記収納棚１０と前記抽斗１１とのロック状態は解除される。
【００１７】
有利なことに、前記第二連結棒２９の上部左面には連結台３２が固定され、前記連結台３２の中には第三旋転棒３３が回動可能に設けられ、前記第三旋転棒３３の外面には揺動ブロック３４が設けられ、前記揺動ブロック３４の中には第四旋転棒３５が設けられ、前記第四旋転棒３５の下側には回動可能な第五旋転棒３７が設けられ、前記第五旋転棒３７の外面には揺動歯車３６が固定され、前記第五旋転棒３７の右側にはカム３８が固定され、前記カム３８の上方には上下摺動可能な支持棒８０が設けられ、前記支持棒８０の上端には第一ばね４０が設けられ、前記第一ばね４０の中には円形棒３９が回動可能に設けられ、前記円形棒３９の外面には揺動棒４１が固定され、前記揺動棒４１の中には第六旋転棒４２が設けられ、前記揺動棒４１の右側には圧迫ブロック４３が固定され、前記圧迫ブロック４３の右側には上下摺動可能な固定ピン４４が設けられ、前記圧迫ブロック４３の底面は前記固定ピン４４と密着しており、前記固定ピン４４の底面には第二ばね４５が固定され、前記固定ピン４４の上方には金庫固定ピン４６が設けられ、前記金庫固定ピン４６は前記固定板１４の右面に固定され、前記金庫固定ピン４６の中には金庫位置制限溝４７が形成され、前記固定ピン４４は前記金庫位置制限溝４７に伸びることで、前記固定板１４をロックできる。
【００１８】
有利なことに、前記金庫ダイヤル錠２００はさらに前記位置制限円盤６８の外面に設けられた位置制限ブロック６９と、前記位置制限円盤６８の縁部に形成された位置制限裂目７０とを含み、各前記位置制限円盤６８における前記位置制限ブロック６９と前記位置制限裂目７０との位置は異なり、
前記位置制限円盤６８が回転すると、対応する前記位置制限ブロック６９は回転して次の前記位置制限円盤６８にある前記位置制限ブロック６９をつれて回転させ、同じくさらに次の前記位置制限円盤６８にある前記位置制限ブロック６９をつれて回転させ、特定の回転により、三つの前記位置制限円盤６８にある前期位置制限裂目７０を面一にすることができ、
前記位置制限円盤６８の上方には位置制限ローラ７３が設けられ、前記位置制限ローラ７３は前記ダイヤル錠回動軸６７の外面に固定され、前記位置制限ローラ７３の縁部にはローラ裂目７４が形成され、前記位置制限ローラ７３の左側には位置制限板７１が固定され、前記位置制限板７１の上側には前記位置制限板７１を左右に摺動させられる位置制限摺動溝７５が形成され、前記位置制限板７１の左側には位置制限ばね７２が固定され、前記位置制限ばね７２はさらに金庫ダイヤル錠外殻６４の内壁に固定され、前記金庫ダイヤル錠外殻６４の外面には第四傘歯車６３が固定され、
三つの前記位置制限裂目７０が面一となり且つ前記位置制限板７１と前記ローラ裂目７４とが対応すると、前記位置制限板７１は前記ローラ裂目７４と前記位置制限裂目７０とに插入され、ここで前記位置制限板７１が時計回り方向へ回転すると、前記金庫ダイヤル錠外殻６４は連動して回転することで、前記第四傘歯車６３をつれて回転させ、前記金庫ダイヤル錠外殻６４の上方には前記ダイヤル錠回動軸６７の外面に固定された第二捻りばね７６が設けられ、
前記ダイヤル６６を放すと、前記第二捻りばね７６は前記ダイヤル錠回動軸６７を逆回転させることで、下から上に一番目の前記位置制限円盤６８を反時計回りに回転させ、続いて前記位置制限裂目７０の形態により、前記位置制限板７１は前記ローラ裂目７４と前記位置制限裂目７０から離脱し、改めて前記ダイヤル６６を操作することでしか、前記金庫ダイヤル錠外殻６４を回転させられないため、自動ロックを可能にする。
【００１９】
有利なことに、前記蓋ロック機構５００は第三傘歯車６２を含み、前記第三傘歯車６２は前記第四傘歯車６３と噛み合っており、前記第三傘歯車６２の右面には回動可能な第一旋転軸６１が固定され、前記第一旋転軸６１の右面には第二傘歯車６０が固定され、前記第二傘歯車６０の後側には前記第二傘歯車６０と噛み合った第一傘歯車５６が設けられ、前記第一傘歯車５６の前側には回動可能な第二プーリ５８が設けられ、前記第二プーリ５８の右側には第一プーリ５７が設けられ、前記第二プーリ５８よ前記第一プーリ５７とはベルト５９によって伝動可能に連結され、前記第一プーリ５７の後側には第一歯車５５が設けられ、前記第一歯車５５の右側には第一歯車５５と噛み合っている且つ上下摺動可能な前記ラック５４が設けられ、
前記第四傘歯車６３が回転すると、前記第三傘歯車６２は連動して回転し、前記第一旋転軸６１をつれて回転させることで、前記第二傘歯車６０を回転させ、続いて前記第一傘歯車５６は連動して回転し、前記第二プーリ５８をつれて回転させることで、前記第一プーリ５７を回転させ、前記第一歯車５５を回転させ、続いて前記ラック５４は連動して上昇し、前記蓋固定ピン５２を前記固定ピン空間５３から押し出すことで、前記金庫本体１５と前記金庫摺動蓋１６とのロック状態を解除する。
【００２０】
本願に記載の固定連結方法は、ボルト連結や溶接などを含むが、これらに限られていない。
【００２１】
はじめに、第一連結棒２８は抽斗位置制限溝８３に位置し、固定ピン４４は金庫位置制限溝４７に位置し、蓋固定ピン５２は固定ピン空間５３に位置している。
【００２２】
本願発明の作動手順は以下の通りである。
【００２３】
１、キー摺動溝２４に正しいキーを差し込み、錠内ばね２０とメイン位置制限円形棒２１との密着面と、サブ位置制限円形棒２３と収納棚１０との密着面とは面一となり、キーを回すことで、サブ位置制限円形棒２３はキー摺動溝２４をめぐって回転し、施錠具回動軸２５をつれて回転させることで、旋転ブロック２７は連動して施錠具回動軸２５をめぐって回転し、前記第一連結棒２８をつれて上昇させ、ここで抽斗取手１７によって抽斗１１を引き出せる。
【００２４】
２、キーを放し、第一捻りばね２６は施錠具回動軸２５を復位させ、施錠具回動軸２５の回転により旋転ブロック２７は回転し、第二旋転棒３１をつれて上昇させることで、連結台３２を上昇させ、続いて揺動ブロック３４は連動して揺れ動き、揺れ動くたびに、揺動歯車３６をつれて小幅に回転させることで、第五旋転棒３７を回転させ、続いてカム３８は連動して回転し、特定位置に回転したら、カム３８は支持棒８０を突き上げ、支持棒８０は上昇して円形棒３９をつれて上昇させ、続いて揺動棒４１は連動して第六旋転棒４２をめぐって揺れ動き、圧迫ブロック４３を降下させることで、固定ピン４４を降下させ、固定ピン４４は続いて金庫位置制限溝４７から離脱し、金庫固定ピン４６は制限されなくなり、重力により、固定板１４はローラ１３をめぐって回転し、固定板１４はさらに収容空間の中に入る。
【００２５】
３、抽斗１１を引き出し、金庫摺動蓋１６を手で回して収納棚１０の底面と密着させ、ダイヤル６６を回すことで金庫ダイヤル錠外殻６４を回転させ、続いて第四傘歯車６３は連動して回転し、第三傘歯車６２をつれて回転させることで、第一旋転軸６１を回転させ、続いて第二傘歯車６０は連動して回転し、第一傘歯車５６をつれて回転させることで、第二プーリ５８を回転させ、続いて第一プーリ５７は連動して回転し、第一歯車５５をつれて回転させることで、ラック５４を上昇させ、ラック５４はさらに蓋固定ピン５２を固定ピン空間５３から押し出すことで、金庫本体１５と金庫摺動蓋１６とのロック状態を解除し、第三ばねの弾力により、金庫摺動蓋１６は右方へ摺動し、金庫本体１５を開ける。
【００２６】
４、終わったら、金庫摺動蓋１６を復位させ、蓋固定ピン５２は第四ばね５１により自動的に復位し、金庫本体１５はロックされ、且つ金庫本体１５は押されて収納空間１２に戻り、金庫位置制限溝４７と金庫固定ピン４６とは自動的に連結し、キーを回すことで、第一連結棒２８は上昇し、ここで抽斗１１を閉じ、キーを放し、抽斗１１はロックされ、これにて復位を完了とする。
【００２７】
以上の方式により、当該分野の技術者は本願発明の範囲内で作業状況に応じて様々な改変を加えることができる。
【要約】
【課題】本願は隠せる抽斗型金庫を開示した。
【解決手段】
本願に記載の隠せる抽斗型金庫は、収納棚を含み、前記収納棚の中には収納空間が設けられ、前記収納空間の中には金庫本体が設けられ、前記金庫本体は固定板に固定され、前記固定板の下面にはローラが固定され、前記金庫本体の下方には左右摺動可能な金庫摺動蓋が設けられ、前記金庫本体と前記金庫摺動蓋との間には蓋摺動溝が形成され、前記蓋摺動溝により前記金庫摺動蓋が左右に摺動でき、前記金庫摺動蓋の中には前記金庫本体を開けられる金庫ダイヤル錠が設けられ、前記金庫ダイヤル錠は操作用のダイヤルを含み、前記ダイヤルの上面には回動可能なダイヤル錠回動軸が固定され、前記ダイヤル錠回動軸の外面には前記ダイヤルの上方に位置する位置制限円盤が三つ上下方向に配列されている。
【選択図】図１【図１】
0006789489.tif 000002
【図２】
0006789489.tif 000003
【図３】
0006789489.tif 000004
【図４】
0006789489.tif 000005
【図５】
0006789489.tif 000006
【図６】
0006789489.tif 000007
【図７】
0006789489.tif 000008